(57)【要約】【課題】ベストスイングに導く制御設定を自由に行うことができ、使用者のスイング上達を効果的・効率的に援助でき、スイングの能率向上を図る。【解決手段】装置本体１の内部先端部分に設けられた空洞Ｓの周りに直列に配置され且つ電流を流すことにより電磁石の能力を発生させる複数のコイルＫと、該コイルＫに電流を供給するために装置本体１の内部後端部分に設けられた電源Ｖと、該電源Ｖから前記コイルへＫの電流経路をＯＮ／ＯＦＦするために装置本体１のグリップ２端面に配したスイッチＳＷと、前記空洞Ｓの内部空間で自由に往復可能となるよう前記コイルＫの内径よりわずかに小さい重りを兼ねた磁石Ｍと、素振り時での前記空洞Ｓ内を移動する磁石Ｍの前記コイルＫによる電磁石との吸引力および反発力を制御するよう当該コイルＫに流れる電流を制御可能にする電流制御装置５とを配して成るものとする。【選択図】図１
2015173683.tif 000002
【特許請求の範囲】
【請求項１】
装置本体の内部先端部分に設けられた空洞の周りに直列に配置され且つ電流を流すことにより電磁石の能力を発生させる複数のコイルと、該コイルに電流を供給するために装置本体の内部後端部分に設けられた電源と、該電源から前記コイルへの電流経路をＯＮ／ＯＦＦするために装置本体のグリップ端面に配したスイッチと、前記空洞の内部空間で自由に往復可能となるよう前記コイルの内径よりわずかに小さい重りを兼ねた磁石と、素振り時での前記空洞内を移動する磁石の前記コイルによる電磁石との吸引力および反発力を制御するよう当該コイルに流れる電流を制御可能にする電流制御装置とを、備えることを特徴とする素振り練習具。
【請求項２】
空洞における各コイルの周囲には、前記磁石の位置変化を検知するためのセンサを備え、素振りで発生する加速度、スイングスピード、並びにスイングの軌道を外部制御装置のモニターに出力させる機能を付与して成る請求項１記載の素振り練習具。
【請求項３】
前記外部制御装置は、前記コイル内を移動する磁石によって誘導的に発生する電力を電源側にフィードバックさせて回収すべく成した請求項２記載の素振り練習具。
【発明の詳細な説明】
【技術分野】
【０００１】
本発明は、ゴルフ・野球・テニス等の素振り練習を効果的に行うための素振り（スイング）練習具に関する。
【背景技術】
【０００２】
従来、素振り練習器は、例えば野球のバットスイングの練習に使用する場合にはバット形状に形成され、ゴルフのクラブスイングの練習に使用する場合にはクラブ形状に形成され、テニスのラケツトスイングの練習に使用する場合にはラケツト形状に形成されるというように、通常はそれぞれの競技の用具に似せた形状に形成される。使用者は、このスイング練習器のグリップを両手または片手で握り、その競技の用具と同じ要領で素振りすることによりスイングの練習を行う。
【０００３】
この種の従来の素振り練習器は、回動可能となる鉄片を磁石で吸着しておき、これを例えばバット型の練習器であればヘッドの部分に埋め込み、スイングの際のヘッドスピードが設定値以上となって遠心力によりこの鉄片が磁石から離れた場合に音を発して告知すると共に、その回数をカウントすることができるように構成されていた。このときゴルフ・野球・テニス等の素振り練習器は、効果的な練習を行うために、スピードの設定値をできるだけベストスイングの際のスピード近くに設定する必要がある。
【０００４】
上記スピードの設定値をベストスイングの際のスピード近くに設定することを意図するものとしては、例えば特許文献１に開示されているように、従来の素振り練習器と同様にスイングスピードの最高値およびスイングのスピードが設定値を越えたことを使用者に告知することができる技術が存在する。これは、加速度センサが素振りの際に遠心力が加わるスイング部に設けられる。この加速度センサは、回動部や摺動部等の機械的可動部を有さず、検出部に加わる応力を直接圧電効果により電気信号として出力し、またはこの応力による検出部の変形を抵抗変化、インダクタンス変化もしくはキャパシティ変化等の電気信号として出力し、もしくは、この検出部の変形を抑制するための制御操作量を電気信号として出力するものと成されている。
【先行技術文献】
【特許文献】
【０００５】
【特許文献１】実公平５−３９７２７号公報
【特許文献２】実公平５−３９７２８号公報
【発明の概要】
【発明が解決しようとする課題】
【０００６】
しかしながら、従来においては、グリップと先端の間を自由に往復する重り等によりスイング開始から一瞬の間にその遠心力で重りが先端に移動するだけであり、また上記した特許文献１，２のスイング練習器においては、加速度センサによって、スイング部に加わる遠心力を加速度として検出するだけであるため、重りの位置変化をコントロールできないことから、ベストスイングに導く制御設定を自由に行うことができず、使用者のスイング上達を効果的・効率的に推進させることはできなかった。特に、振動ジャイロセンサは、素子を振動させて素子に加わるコリオリの力から角速度を検出する。そのため、素子の素材や構造の違いにより、角速度の精度に大きく変化が現れる。
【０００７】
そこで、本発明は叙上のような従来存した諸事情に鑑み創出されたもので、ベストスイングに導く制御設定を自由に行うことができ、使用者のスイング上達を効果的・効率的に援助することができ、これによってスイングの能率向上を図るものとした素振り練習具を提供することを目的とする。
【課題を解決するための手段】
【０００８】
上述した課題を解決するために、本発明にあっては、装置本体の内部先端部分に設けられた空洞の周りに直列に配置され且つ電流を流すことにより電磁石の能力を発生させる複数のコイルと、該コイルに電流を供給するために装置本体の内部後端部分に設けられた電源と、該電源から前記コイルへの電流経路をＯＮ／ＯＦＦするために装置本体のグリップ端面に配したスイッチと、前記空洞の内部空間で自由に往復可能となるよう前記コイルの内径よりわずかに小さい重りを兼ねた磁石と、素振り時での前記空洞内を移動する磁石の前記コイルによる電磁石との吸引力および反発力を制御するよう当該コイルに流れる電流を制御可能にする電流制御装置とを、備えることを特徴とする。
【０００９】
空洞における各コイルの周囲には、前記磁石の位置変化を検知するためのセンサを備え、素振りで発生する加速度、スイングスピード、並びにスイングの軌道を外部制御装置のモニターに出力させる機能を付与して成る。
【００１０】
前記外部制御装置は、前記コイル内を移動する磁石によって誘導的に発生する電力を電源側にフィードバックさせて回収すべく成した。
【発明の効果】
【００１１】
本発明によれば、ベストスイングに導く制御設定を自由に行うことができ、使用者のスイング上達を効果的・効率的に援助することができ、これによってスイングの能率向上を図ることができる。
【００１２】
すなわち、本発明では、装置本体の内部先端部分に設けられた空洞の周りに直列に配置され且つ電流を流すことにより電磁石の能力を発生させる複数のコイルと、該コイルに電流を供給するために装置本体の内部後端部分に設けられた電源と、該電源から前記コイルへの電流経路をＯＮ／ＯＦＦするために装置本体のグリップ端面に配したスイッチと、前記空洞の内部空間で自由に往復可能となるよう前記コイルの内径よりわずかに小さい重りを兼ねた磁石と、素振り時での前記空洞内を移動する磁石の前記コイルによる電磁石との吸引力および反発力を制御するよう当該コイルに流れる電流を制御可能にする電流制御装置とを、装置本体内部又は外部に配して成るため、複数の電磁石を制御することにより様々なパターンで重りである磁石の位置変化を容易にコントロールでき、より効果的な素振り練習が可能となる。
【００１３】
また、ゴルフや野球で上級者が体得しているクラブやバットを撓らせてスイングすることも、物理的にはクラブやバットに常に一定の加速度を与えることであるので、そのようなベストスイングに導く制御設定を行えば、使用者のスイング上達を効果的・効率的に援助できるものとなる。
【００１４】
空洞における各コイルの周囲には、前記磁石の位置変化を検知するためのセンサを備え、素振りで発生する加速度、スイングスピード、並びにスイングの軌道を外部制御装置のモニターに出力させる機能を付与して成るので、使用者はモニターを見ながら複数の電磁石を制御することで磁石の位置変化をリアルタイムでコントロールすることができ、ベストスイングに導く制御設定の調整を自由に行うことができる。
【００１５】
前記外部制御装置は、前記コイル内を移動する磁石によって誘導的に発生する電力を電源側にフィードバックさせて回収すべく成したので、当該電源の安定性を向上させることができる。
【図面の簡単な説明】
【００１６】
【図１】本発明を実施するための一形態における素振り練習具の概略した内部構成を示す斜視図である。
【図２】同じく素振り練習具の回路構成の概略を示す説明図である。
【図３】素振り練習具の他例における回路構成の概略を示す説明図である。
【発明を実施するための形態】
【００１７】
以下、図面を参照して本発明の実施の一形態を詳細に説明する。
本発明に係る素振り練習具を構成する装置本体１は、例えば野球のバットスイングの練習に使用する場合にはバット形状に形成され（図１参照）、ゴルフのクラブスイングの練習に使用する場合にはクラブ形状に形成され、テニスのラケツトスイングの練習に使用する場合にはラケツト形状に形成されるというように、通常はそれぞれの競技の用具に似せた形状に形成されている。
【００１８】
図２に示すように、装置本体１には、その内部先端部分に長手方向に沿って円柱状となった空洞Ｓが形成され、該空洞Ｓの周りには、電流を流すことにより電磁石の能力を発生させるための複数のコイルＫが直列に配置されている。このコイルＫは、例えば約０．４ｍｍ径のエナメル線によって形成され、１つのコイルＫの巻き数が約６００で、幅が約５０ｍｍ、内径が１３．５ｍｍ、直径２２ｍｍとしている。
【００１９】
また、前記空洞Ｓ内のコイルＫの後方側、すなわち装置本体１の手で握るグリップ２の内部には、前記コイルＫに電流を供給するための電源Ｖが設けられており、該電源Ｖから前記コイルＫへの電流経路を開成または閉成するために、装置本体１のグリップ２端面に、プッシュの繰り返しでＯＮ／ＯＦＦ切り替え可能としたスイッチＳＷが設けられている。素振り練習に先立って、このスイッチＳＷをＯＮにして電源Ｖから各コイルＫに電流を流すことにより電磁石の能力を発生させるものとしてある。この電源Ｖは、例えば１．５Ｖの単５アルカリ電池が１０個直列となって配置されている。
【００２０】
さらに、前記コイルＫの内径よりわずかに小さい重りを兼ねた磁石Ｍが、前記空洞Ｓの内部空間で自由に往復可能となるように配してある。この磁石Ｍとしては、例えば直径１３ｍｍ、厚さ２ｍｍ、１０００ガウスのネオジム系の円板型永久磁石が複数個束ねられた円柱状となって形成されている。
【００２１】
空洞Ｓにおける各コイルＫの周囲には、前記磁石Ｍの位置変化を検知するための磁気センサまたはジャイロセンサ等のセンサＣを備えている。このセンサＣは、例えばＵＳＢケーブル等の有線または赤外線等の無線通信等の送受信部Ｌを介して外部制御装置３に接続されており、素振りで発生する加速度、スイングスピード、並びにスイングの軌道等を当該外部制御装置３に備えたモニター４に出力させるものとしてある。
【００２２】
外部制御装置３は、コイルＫに流れる電流を制御するための電流制御装置５が備えられ、該電流制御装置５により電流を調整することで、素振り時での遠心力Ｆにより前記空洞Ｓ内を移動する磁石Ｍに対し、前記コイルＫによる電磁石との吸引力および反発力を制御可能としている。
【００２３】
また、外部制御装置３には、前記センサＣによって検出された磁石Ｍの位置変化（移動量）から、加速度、スイングスピード、並びにスイングの軌道等に演算するための演算部６が設けられている。そして電流制御装置５での電流調整により、様々なパターンで重りである磁石Ｍの位置変化をタイミング的にコントロールできるようにしてある。
【００２４】
さらに、外部制御装置３には、フィードバック回路７が備えられ、前記コイルＫ内を移動する磁石Ｍによって誘導的に発生する電力を電源Ｖ（電流制御装置５）側にフィードバックさせて回収することで、電源Ｖ自体の安定性を図っている。
【００２５】
なお、上記電流制御装置５は、外部制御装置３の内部ではなく、図３に示すように、装置本体１のグリップ２内部の電源Ｖ側に配されていてもよい。この場合、グリップ２側（例えばスイッチＳＷの近傍）に、電流制御装置５によるコイルＫへの電流制御を行うための電流調整用のボリューム等（図示せず）が設けられる。これにより、前記コイルＫによる電磁石との吸引力および反発力の制御が装置本体１側にて可能となり、利用者自らによって様々なパターンで重りである磁石の位置変化を容易にコントロールできる。
【００２６】
このように電流制御装置５が装置本体１の内部に配置されている場合、この電流制御装置５内に、フィードバック回路７が備えられ、前記コイルＫ内を移動する磁石Ｍによって誘導的に発生する電力を電源Ｖ（電流制御装置５）側にフィードバックさせて回収することで、電源Ｖ自体の安定性を図ってもよい。
【００２７】
さらに、電流制御装置５が装置本体１の内部に配置されている場合であっても、同様に、空洞Ｓにおける各コイルＫの周囲には、前記磁石Ｍの位置変化を検知するための磁気センサまたはジャイロセンサ等のセンサＣを備えている。このセンサＣから取得した位置データは一時的に、装置本体１に内蔵の一時メモリ領域に記憶される。一時的に記憶された位置データは、例えばＵＳＢケーブル等の有線または赤外線等の無線通信等の送受信部Ｌを介して外部制御装置３に送信される。外部制御装置３はコンピュータであってよく、素振りで発生する加速度、スイングスピード、並びにスイングの軌道等をモニター４に出力する。
【００２８】
次に、以上のように構成された形態についての使用の一例について説明すると、先ず、素振り練習に先立って、スイッチＳＷをＯＮにし、電源Ｖから各コイルＫに電流を流す。このとき電流調整用のボリューム等（図示せず）を操作して電流制御装置５によるコイルＫへの電流調整を予め行っておく。
【００２９】
そして、素振り練習を行うと、図１に示すように、装置本体１の磁石Ｍに対して軸方向外方へ向けて遠心力Ｆが働き、当該磁石Ｍは空洞Ｓ内で装置本体１の先端側に移動する。
【００３０】
このとき、各コイルＫは内部を流れる電流によって電磁石の能力を発生させているため、磁石Ｍに対する吸引力および反発力が作用し、当該磁石Ｍの前記遠心力Ｆによる移動量が制限される。
【００３１】
磁石Ｍの移動に際し、磁気センサまたはジャイロセンサ等のセンサＣによって当該磁石Ｍの位置変化を検知し、この検知信号を外部制御装置３に送信することで、素振りで発生する加速度、スイングスピード、並びにスイングの軌道が演算部６によって算出され、外部制御装置３に備えたモニター４に出力される。
【００３２】
使用者は、外部制御装置３のモニター４を見ながら、複数のコイルＫを流れる電流を電流制御装置５を介して制御（上記ボリューム調整）し、磁石Ｍの位置変化（移動量）の調整を行うことで、自分に適合したベストスイングとなるように導くための制御設定の調整が行われる。
【００３３】
なお、本発明は、上記したコイルＫの形状サイズ・電源Ｖの種類・センサＣの種類・磁石Ｍの種類等によって何等限定されるものではなく、本発明の技術的思想を逸脱するものでない限り、他の変形例も可能である。
【符号の説明】
【００３４】
Ｓ…空洞
Ｋ…コイル
Ｃ…センサ
Ｍ…磁石
ＳＷ…スイッチ
Ｖ…電源
Ｌ…送受信部
Ｆ…遠心力
１…装置本体
２…グリップ
３…外部制御装置
４…モニター
５…電流制御装置
６…演算部
７…フィードバック回路
【図１】
2015173683.tif 000003
【図２】
2015173683.tif 000004
【図３】
2015173683.tif 000005
【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
装置本体の内部先端部分に設けられた空洞の周りに直列に配置され且つ電流を流すことにより電磁石の能力を発生させる複数のコイルと、該コイルに電流を供給するために装置本体の内部先端部分に設けられた電源と、該電源から前記コイルの電流経路をＯＮ／ＯＦＦするために装置本体のグリップ端面に配したスイッチと、前記空洞の内部空間で自由に往復可能となるよう前記コイルの内径よりわずかに小さい重りを兼ねた磁石と、素振り時での前記空洞内を移動する磁石の前記コイルによる電磁石との吸引力および反発力を制御するよう当該キルに流れる電流を制御可能にする電流制御装置とを、装置本体内部に配置して成り、前記空洞における各コイルの周囲には、前記磁石の位置変化を検知するためのセンサを備え、素振りで発生する加速度、スイングスピード、並びにスイングの軌道を外部制御装置のモニターに出力させる機能を付与して成ることを特徴とする素振り練習具。
【手続補正２】
【補正対象書類名】明細書
【補正対象項目名】０００８
【補正方法】変更
【補正の内容】
【０００８】
上述した課題を解決するために、本発明にあっては、装置本体の内部先端部分に設けられた空洞の周りに直列に配置され且つ電流を流すことにより電磁石の能力を発生させる複数のコイルと、該コイルに電流を供給するために装置本体の内部先端部分に設けられた電源と、該電源から前記コイルの電流経路をＯＮ／ＯＦＦするために装置本体のグリップ端面に配したスイッチと、前記空洞の内部空間で自由に往復可能となるよう前記コイルの内径よりわずかに小さい重りを兼ねた磁石と、素振り時での前記空洞内を移動する磁石の前記コイルによる電磁石との吸引力および反発力を制御するよう当該キルに流れる電流を制御可能にする電流制御装置とを、装置本体内部に配置して成り、前記空洞における各コイルの周囲には、前記磁石の位置変化を検知するためのセンサーを備え、素振りで発生する加速度、スイングスピード、並びにスイングの軌道を外部制御装置のモニターに出力させる機能を付与して成ることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１５
【補正方法】削除
【補正の内容】